(57)【要約】【課題】使用者の所望に応じて適宜簡単にレイアウト変更可能なキッチンキャビネットを提供する。【解決手段】少なくとも、キッチンキャビネット（１）の高さ方向に設置される縦フレーム（２）と、奥行き方向および横幅方向に設置される横フレーム（３）と、縦フレーム（２）と横フレーム（３）を所望の位置にて取付取外し自在に連結する連結手段と、縦フレームと横フレームとで形成される収納空間の上部に設置されるカウンター（４）とを備え、カウンターの下面に設けられる補強桟が横フレームからなり、横フレームと縦フレームが取付取外し自在に連結されることからカウンターと縦フレームが取付取外し自在であるキッチンキャビネットとする。【選択図】      図１
2004223006.tif 000002
【特許請求の範囲】
【請求項１】
少なくとも、キッチンキャビネットの高さ方向に設置される縦フレームと、奥行き方向および横幅方向に設置される横フレームと、縦フレームと横フレームを所望の位置にて取付取外し自在に連結する連結手段と、縦フレームと横フレームとで形成される収納空間の上部に設置されるカウンターとを備え、
カウンターの下面に設けられる補強桟が横フレームからなり、横フレームと縦フレームが取付取外し自在に連結されることからカウンターと縦フレームが取付取外し自在であることを特徴とするキッチンキャビネット。
【請求項２】
横フレームに溝が形成されているとともに縦フレームの上端部に連結装置が取り付けられており、その連結装置が横フレームの溝に嵌め込まれて縦フレームと横フレームとが連結されることを特徴とする請求項１記載のキッチンキャビネット。
【請求項３】
縦フレームの底面部に高さ方向の調整が可能なアジャスターが取り付けられていることを特徴とする請求項１または２記載のキッチンキャビネット。
【請求項４】
奥行き方向に対をなした縦フレーム間に、前記収納空間へ収納物を設置するためのレールが取り付けられていることを特徴とする請求項１ないし３いずれかに記載のキッチンキャビネット。
【発明の詳細な説明】
【０００１】
【発明の属する技術分野】
この出願の発明は、キッチンキャビネットに関するものである。さらに詳しくは、この出願の発明は、使用者の所望に応じて適宜簡単にレイアウト変更可能なキッチンキャビネットに関するものである。
【０００２】
【従来の技術】
従来のキッチンキャビネットは、図５および６に示すように引出し（５０）や、前面開口部を扉板（５１）にて覆蓋した収納部（５２）等よりなる収納空間は、キッチンキャビネット（５３）の箱体として一体形成されており、一度キッチンキャビネット（５３）全体を形成した後に別のレイアウトのキッチンキャビネットに変更しようとした場合には、図６（ｂ）、（ｃ）、（ｄ）に示しているようにねじ（５４）などによりキッチンキャビネット（５３）本体に複数箇所で固着連結してあるカウンター板（５５）をはずし、キッチンキャビネット（５３）全体を入れ替える必要があり作業工程が多く、またキッチンキャビネットの交換後には不要となったキッチンキャビネットが発生してしまうため非常に無駄が多かった。
【０００３】
そこでそのような問題を解決するため、シンクやレンジなどを含んだワークトップや、オーブンレンジが内部に組み込まれたものや引出しなどの各種のキャビネットおよびその他の厨房機器を、自立可能なフレームワークによって分解可能に支持してなる厨房設備が考えられている（特許文献１）。
【０００４】
また、メインフレームにより形成された枠体の中に各種のキャビネットを組み込むことでユニットとして一体感が得られるシステムユニットも提案されている（特許文献２）。
【０００５】
【発明が解決しようとする課題】
しかしながら、自立可能なフレームワークによって各種のキャビネットや厨房機器を分解可能に支持する厨房設備では、大型の自立可能なフレームワークを用いているため運送に際してそのフレームワークがかさばってしまい、運送作業が大掛かりなものとなってしまっていた。
【０００６】
さらにまた自立可能なフレームワークを用いた場合であっても、一旦キャビネットや厨房機器をレイアウトした後に別のレイアウトに変更する場合に、自立可能なフレームワークの配置を変える際に厨房設備を再び分解する必要があるためレイアウトの変更に手間がかかるといった問題があった。
【０００７】
また、メインフレームにより形成された枠体の中に各種のキャビネットを組み込んだシステムユニットにおいては、高さ方向に設置される縦フレームと奥行き方向および横幅方向に設置される横フレームなどにより枠体が一体形成されているため、その一体形成された枠体内でのレイアウトの変更のみが可能であり、依然レイアウトの自由度は制限されたものであった。
【０００８】
【特許文献１】
特開平１−９７４０８
【特許文献２】
特開平１１−９９０２４
そこでこの出願の発明は、以上のとおりの事情に鑑みてなされたものであり、従来技術の問題点を解消し、使用者の所望に応じて適宜簡単にレイアウトを変更することが可能なキッチンキャビネットを提供することを課題としている。
【０００９】
【課題を解決するための手段】
この出願の発明は、上記の課題を解決するものとして、まず第１には、少なくとも、キッチンキャビネットの高さ方向に設置される縦フレームと、奥行き方向および横幅方向に設置される横フレームと、縦フレームと横フレームを所望の位置にて取付取外し自在に連結する連結手段と、縦フレームと横フレームとで形成される収納空間の上部に設置されるカウンターとを備え、
カウンターの下面に設けられる補強桟が横フレームからなり、横フレームと縦フレームが取付取外し自在に連結されることからカウンターと縦フレームが取付取外し自在であること特徴とするキッチンキャビネットを提供する。
【００１０】
第２には、この出願の発明は、横フレームに溝が形成されているとともに縦フレームの上端部に連結装置が取り付けられており、その連結装置が横フレームの溝に嵌め込まれて縦フレームと横フレームとが連結されることを特徴とするキッチンキャビネットを提供し、第３には、縦フレームの底面部に高さ方向の調整が可能なアジャスターが取り付けられていることを特徴とするキッチンキャビネットを提供し、さらに、第４には、奥行き方向に対をなした縦フレーム間に、前記収納空間へ収納物を設置するためのレールが取り付けられていることを特徴とするキッチンキャビネットを提供する。
【００１１】
【発明の実施の形態】
この出願の発明は上記のとおりの特徴をもつものであるが、以下にその実施の形態について説明する。
【００１２】
図１（ａ）および（ｂ）はこの出願の発明のキッチンキャビネットの一実施形態の正面分解斜視図および側面分解図を示している。同図に示すように、この出願の発明のキッチンキャビネット（１）は、少なくとも、キッチンキャビネット（１）の高さ方向に設置される縦フレーム（２）と、奥行き方向および横幅方向に設置される横フレーム（３）と、縦フレーム（２）と横フレーム（３）を横幅方向における所望の位置にて取付取外し自在に連結する連結手段と、縦フレーム（２）と横フレーム（３）で形成される収納空間の上部に設置されるシンクなどが設けられたカウンター（４）とを備え、カウンター（４）の下面に設けられる補強桟が横フレーム（３）からなり補強桟と横フレーム（３）が共通化されており、横フレーム（３）と縦フレーム（２）が取付取外し自在に連結されることからカウンター（４）と縦フレーム（２）が取付取外し自在であることを特徴としている。
【００１３】
具体的には、図１および図２（ａ）に示すように、この出願の発明のキッチンキャビネット（１）は基本的に縦フレーム（２）と、横フレーム（３）と、それらフレームをカウンター（４）の横幅方向における所望の位置にて取付取外し自在に連結する連結手段と、シンクなどが設けられたカウンター（４）を備えたシンプルなものであって、図２（ｂ）に示すようにそのキッチンキャビネット（１）に引出し（５）や扉開閉式のキャビネット（６）等の各種キャビネット（７）や食器洗い機やオーブンなどの厨房機器（８）、さらには椅子（９）などの収納物（１０）を使用者が利用しやすい任意の位置に配置することで様々なレイアウトに変更することが可能となる。なおその際にそれら収納物（１０）にロック機能を有するキャスターを取り付けるといったことも可能であり、それにより収納物（１０）の移動を容易に行うことができる。
【００１４】
また、カウンター（４）の補強桟が横フレーム（３）からなり補強桟と横フレーム（３）とが共通化されていることから、カウンター（４）に補強桟を作製した後にさらに横フレーム（３）を取り付けるといった工程が必要なくなり、カウンター（４）に横フレーム（３）を取り付けるのみでよく、キッチンキャビネット（１）の組立工程における簡略化が実現できる。
【００１５】
また、図１に示すように、縦フレーム（２）とカウンター（４）に取り付けられた横フレーム（３）とが取付取外し自在とされていることから、カウンター（４）を縦フレーム（２）から取り外すことで、各種キャビネット（７）や厨房機器（８）などの収納物（１０）の配置をさらに容易に変更させることができる。
【００１６】
さらに、キッチンキャビネット（１）の本体に収納する収納物（１０）の横幅方向の大きさに関してはキッチンキャビネット（１）のカウンター（４）の横幅に収まる大きさであれば任意の幅を有するものであってよく、図２（ｃ）、（ｄ）に示すように縦フレーム（２）と横フレーム（３）の連結位置を調整したり、あるいはカウンター（４）の横幅方向の両端部に設置された縦フレーム（２）以外にカウンター（４）の横幅方向の中間部において複数の縦フレーム（２）をカウンター（４）に取り付けることによって、様々な幅を有する複数の収納物（１０）をキッチンキャビネット（１）に収納することが可能となるのである。なお、このとき、図１および図２（ａ）、（ｂ）、（ｃ）に示すように２本の縦フレーム（２）に奥行き方向に対をなした状態としてそれらの縦フレーム（２）間に連結部材（１１）を取り付けることで、前後の２本の縦フレーム（２）の位置調節の必要がなくなる。
【００１７】
また、図３に示すようにカウンター（４）に取り付けられた横幅方向の横フレーム（３）に溝（１２）を形成させるとともに、図４に示すように縦フレーム（２）の上端部（１３）に、たとえば特公昭５４−９８２４に示されているような連結装置を取り付け、その連結装置を溝（１２）に嵌め込むようにすることによって縦フレーム（２）を横フレーム（３）に連結することができ、さらにその溝（１２）に沿って縦フレーム（２）を横フレーム（３）の横幅方向にスライドさせることができることから、縦フレーム（２）と横フレーム（３）とを横幅方向における所望の位置で連結させることができ、これにより収納物（１０）のレイアウトの自由度をさらに向上させることができる。
【００１８】
なお、図４に示すように縦フレーム（２）の底面部には、ねじ調節などにより高さ方向の調整が可能なアジャスター（１４）を取り付けることもでき、このアジャスター（１４）によりキッチンキャビネット（１）の高さ方向の調整を容易に行うことが可能となる。
【００１９】
またさらに図４（ａ）、（ｃ）に示すように、奥行き方向に対をなした縦フレーム（２）間に、図２（ｄ）に示すように収納空間へ収納物（１０）を収納する際にその収納物（１０）のキッチンキャビネット（１）への設置のための、ロック機能を有するレール（１５）およびそのレール（１５）を縦フレーム（２）に固定するためのレール取付金具（１６）を取り付けることで（図４では上下２箇所に取り付けられている）、図２（ｄ）に示すように各種キャビネット（７）などの収納物（１０）に取り付けたレール連結具（１７）をレール（１５）に嵌め込み、収納物（１０）が完全にキッチンキャビネット（１）内に設置された後に収納物（１０）が動かないようにロックすることで、収納物（１０）を縦フレーム（２）に対して固定でき、キッチンキャビネット（１）内にしっかりと固定することができる。
【００２０】
上記のようにすることによって収納物（１０）が確実にキッチンキャビネット（１）内に固定されることから、キッチンキャビネット（１）の個々の収納物（１０）とキッチンキャビネット（１）の一体感を得ることができる。なお、ロック機能を有するレール（１５）を用いて各種キャビネット（７）などの収納物（１０）をキッチンキャビネット（１）内へ固定するため、ロックを解除することで、容易に収納物（１０）をキッチンキャビネット（１）から取り外すことが可能となりレイアウトの変更も容易に行うことができる。
【００２１】
さらにこの出願の発明のキッチンキャビネット（１）は縦フレーム（２）と横フレーム（３）およびそれらを連結する連結手段とカウンター（４）により形成されるシンプルなものであって、施工現場で、それら縦フレーム（２）と横フレーム（３）すなわちカウンター（４）を容易に連結することができることから、縦フレーム（２）とカウンター（４）が連結されていない状態で運送でき容易に運送が行えるのである。
【００２２】
【発明の効果】
以上詳しく説明したとおり、この出願の発明によって、使用者の所望に応じて、適宜簡単にレイアウト変更可能な新しいキッチンキャビネットが提供される。
【図面の簡単な説明】
【図１】（ａ）、（ｂ）はこの出願の発明のキッチンキャビネットの全体を例示した正面分解斜視図および側面分解図である。
【図２】（ａ）、（ｂ）、（ｃ）および（ｄ）はこの出願の発明のキッチンキャビネットのレイアウトの一実施形態を例示した正面斜視図である。
【図３】（ａ）、（ｂ）、（ｃ）および（ｄ）はこの出願の発明のキッチンキャビネットのカウンターを例示した背面図、正面図、側面図および平面図である。
【図４】（ａ）、（ｂ）、（ｃ）および（ｄ）はこの出願の発明のキッチンキャビネットの縦フレームを例示した正面図、平面図、側面図および底面図である。
【図５】従来のキッチンキャビネットの一例を示す分解斜視図である。
【図６】（ａ）、（ｂ）、（ｃ）および（ｄ）は他の従来のキッチンキャビネットの例を示す分解斜視図および要部拡大図である。
【符号の説明】
１  キッチンキャビネット
２  縦フレーム
３  横フレーム
４  カウンター
５  引出し
６  扉開閉式のキャビネット
７  各種キャビネット
８  厨房機器
９  椅子
１０  収納物
１１  連結部材
１２  溝
１３  縦フレームの上端部
１４  アジャスター
１５  レール
１６  レール取付金具
１７  レール連結具
【図１】
2004223006.tif 000003
【図２】
2004223006.tif 000004
【図３】
2004223006.tif 000005
【図４】
2004223006.tif 000006
【図５】
2004223006.tif 000007
【図６】
2004223006.tif 000008
【手続補正書】
【提出日】平成16年1月5日(2004.1.5)
【手続補正１】
【補正対象書類名】図面
【補正対象項目名】図２
【補正方法】変更
【補正の内容】
【図２】
2004223006.tif 000009